(57)【特許請求の範囲】
【請求項１】
露受皿を兼ねるフロントガイダと上部に露受皿を有するリアガイダとで下部前方に備える吹出口に連通する吹出風路を形成し、同吹出風路に送風機を配設してなるケーシングと、前記ケーシングの両側に載置され、熱交換器の両側をそれぞれ固定する左右の熱交換器ホルダと、前記ケーシング及び熱交換器ホルダの前面に被着され、上面に備える吸込口の内側部にエアフィルタを案内するガイドレールを設けると共に、前面上部に備える吸込口の前面に吸込グリルを被着してなる前面パネルと、前記エアフィルタと、前記吸込グリルと、壁面に固定し、前記左右の熱交換器ホルダを係止して前記ケーシング及び熱交換器ホルダの背面を覆う据付板とでなる空気調和機の室内機において、
前記熱交換器の上方に対応する前記ガイドレールの一部を切欠し、同切欠部に同熱交換器の上端部を配置するようにしたことを特徴とする空気調和機の室内機。
【請求項２】
前記熱交換器の上端部が前記前面パネルと平行に形成されてなることを特徴とする請求項１記載の空気調和機の室内機。
【請求項３】
前記ガイドレールの切欠部の後端部が下方に少許折曲形成されてなることを特徴とする請求項１記載の空気調和機の室内機。
【請求項４】
前記エアフィルタの先端下部コーナに傾斜部を設けてなることを特徴とする請求項１記載の空気調和機の室内機。
【発明の詳細な説明】
【０００１】
【発明の属する技術分野】
本発明は、空気調和機の室内機に係わり、とくに、熱交換器の配設スペースを確保する構造に関する。
【０００２】
【従来の技術】
従来、空気調和機の室内機は、露受皿を兼ねるフロントガイダ２ａと上部に露受皿を有するリアガイダ２ｂとで下部前方に備える吹出口５に連通する吹出風路を形成し、同吹出風路に送風機１１を配設してなるケーシング２と、前記ケーシング２の両側に載置され、熱交換器１０の両側をそれぞれ固定する左右の熱交換器ホルダ３、３’と、前記ケーシング２及び熱交換器ホルダ３、３’の前面に被着され、上面に備える吸込口４ａの内側部にエアフィルタ６を案内するガイドレール７ａを設けると共に、前面上部に備える吸込口４ｂの前面に吸込グリル８を被着してなる前面パネル７と、前記エアフィルタ６と、前記吸込グリル８と、壁面に固定し、前記左右の熱交換器ホルダ３、３’を係止して前記ケーシング２及び熱交換器ホルダ３、３’の背面を覆う据付板２０とで構成していた。
近年、主にデザイン的問題から、高さ寸法を短くして外観を整えて欲しいという要求が出て来ている。
【０００３】
【発明が解決しようとする課題】
本発明は以上述べた問題点を解決し、熱交換器の高さ方向の配設スペースを確保して高さ寸法を小さくして外観を整えた空気調和機の室内機を提供することを目的としている。
【０００４】
【課題を解決するための手段】
本発明は上述の課題を解決するため、露受皿を兼ねるフロントガイダと上部に露受皿を有するリアガイダとで下部前方に備える吹出口に連通する吹出風路を形成し、同吹出風路に送風機を配設してなるケーシングと、前記ケーシングの両側に載置され、熱交換器の両側をそれぞれ固定する左右の熱交換器ホルダと、前記ケーシング及び熱交換器ホルダの前面に被着され、上面に備える吸込口の内側部にエアフィルタを案内するガイドレールを設けると共に、前面上部に備える吸込口の前面に吸込グリルを被着してなる前面パネルと、前記エアフィルタと、前記吸込グリルと、壁面に固定し、前記左右の熱交換器ホルダを係止して前記ケーシング及び熱交換器ホルダの背面を覆う据付板とでなる空気調和機の室内機において、
前記熱交換器の上方に対応する前記ガイドレールの一部を切欠し、同切欠部に同熱交換器の上端部を配置するようにした空気調和機の室内機としている。
【０００５】
前記熱交換器の上端部が前記前面パネルと平行に形成されてなる空気調和機の室内機としている。
【０００６】
前記ガイドレールの切欠部の後端部が下方に少許折曲形成されてなる空気調和機の室内機としている。
【０００７】
前記エアフィルタの先端下部コーナに傾斜部を設けてなる空気調和機の室内機としている。
【０００８】
【発明の実施の形態】
以下、図面に基づいて本発明による空気調和機の室内機を詳細に説明する。図１は本発明による空気調和機の室内機の一実施例を示す要部側断面図、図２は同背面側から見た平面図、図３は同要部拡大斜視図で、図３（Ａ）は図２のＡ部を、図３（Ｂ）は図２のＢ部を、図３（Ｃ）は図２のＣ部を示している。
図１及び図２に示すように、本体１はケーシング２と、左右の熱交換器ホルダ３、３’と、エアフィルタ６と、前面パネル７と、前記吸込グリル８と、据付板２０により構成されている。
そして、この本体の上面及び前面上部に設けられた吸込口４ａ、４ｂと前面下部に設けられた吹出口５を結ぶ風路９には、吸込口４ａ、４ｂから供給される空気と熱交換する熱交換器１０と、同熱交換器１０からの調和空気を吹出口に送出する送風機１１を配設している。
前記ケーシング２は露受皿を兼ねるフロントガイダ２ａと上部に露受皿を有するリアガイダ２ｂとで下部前方に備える吹出口５に連通する吹出風路を形成し、同吹出風路に送風機１１を配設している。
前記熱交換器ホルダ３、３’は前記ケーシング２の両側に載置され、前記熱交換器１０の両側をそれぞれ固定するようにしている。
前記前面パネル７は、前記ケーシング２及び左右の熱交換器ホルダ３、３’の前面に被着され、上面に備える吸込口４ａの内側部に前記エアフィルタ６を案内するガイドレール７ａを設けると共に、前面上部に備える前記吸込口４ｂの前面に前記吸込グリル８を被着している。
また、前記据付板２０は、壁面に固定され、前記左右の熱交換器ホルダ３、３’を係止して前記ケーシング２及び左右の熱交換器ホルダ３、３’の背面を覆うように配設される。
図２に示すように、ケーシング２の背面を見ると、上部両側は前記左右の熱交換器ホルダ３、３’により塞がれるが、上部中央部は開放されており、従来、図示しないベースで塞がれていたこの開放部を前記据付板２０により塞ぐ構造になっている。
このため、従来、ベースにリブ等を形成して前記エアフィルタ６を案内するようにしていたが、このベースが無いため、前記ガイドレール７ａを前面パネル７の上面後方まで形成している。
【０００９】
前記据付板２０の上部両側には係止部２０ａが形成されている。
一方、前記左右の熱交換器ホルダ３、３’の背面には前記係止部２０ａに係止する係止片３ａが設けられている。
そして、前記据付板２０を壁面に固定し、同据付板２０の係止部２０ａに前記左右の熱交換器ホルダ３、３’の係止片３ａを係止するようになっている。
【００１０】
前記エアフィルタ６を案内するガイドレール７ａの前記熱交換器の上方に対応する位置に切欠部３１、３２、３３が形成され、同切欠部３１、３２、３３に同熱交換器１０の上端部を配置するようにしている。
この熱交換器１０の上端部は前記前面パネル７と平行に形成されており、エアフィルタ６が通過し易いようになっている。
図３に示すように、前記ガイドレール７ａの前記切欠部３１、３２、３３の後端部は下方に少許折曲した折曲部３５が形成しされており、エアフィルタ６が切欠部３１、３２、３３を通過し易いようになっている。
また、図１に示すように、前記エアフィルタ６の先端下部コーナに傾斜部６ａを設けて、エアフィルタ６が切欠部３１、３２、３３を通過し易いようにしてもよい。
【００１１】
【発明の効果】
以上説明したように、本発明による空気調和機の室内機によれば、露受皿を兼ねるフロントガイダと上部に露受皿を有するリアガイダとで下部前方に備える吹出口に連通する吹出風路を形成し、同吹出風路に送風機を配設してなるケーシングと、前記ケーシングの両側に載置され、熱交換器の両側をそれぞれ固定する左右の熱交換器ホルダと、前記ケーシング及び熱交換器ホルダの前面に被着され、上面に備える吸込口の内側部にエアフィルタを案内するガイドレールを設けると共に、前面上部に備える吸込口の前面に吸込グリルを被着してなる前面パネルと、前記エアフィルタと、前記吸込グリルと、壁面に固定し、前記左右の熱交換器ホルダを係止して前記ケーシング及び熱交換器ホルダの背面を覆う据付板とでなる空気調和機の室内機において、
前記熱交換器の上方に対応する前記ガイドレールの一部を切欠し、同切欠部に同熱交換器の上端部を配置するようにしたので、熱交換器の高さ方向の配設スペースを確保して高さ寸法を小さくして外観を整えた空気調和機の室内機を提供することができる。
【図面の簡単な説明】
【図１】本発明による空気調和機の室内機の一実施例を示す要部側断面図である。
【図２】本発明による空気調和機の室内機の一実施例を示す背面から見た平面図である。
【図３】本発明による空気調和機の室内機の一実施例を示す要部拡大斜視図で、図３（Ａ）は図２のＡ部を、図３（Ｂ）は図２のＢ部を、図３（Ｃ）は図２のＣ部を示している。
【図４】従来の空気調和機の室内機を示す要部側断面図である。
【符号の説明】
１  本体
２  ケーシング
２ａ  フロントガイダ
２ｂ  リアガイダ
３、３’  熱交換器ホルダ
３ａ  係止片
４ａ、４ｂ  吸込口
５  吹出口
６  エアフィルタ
６ａ  傾斜部
７  前面パネル
７ａ  ガイドレール
８  吸込グリル
９  風路
１０  熱交換器
２０  据付板
２０ａ  係止部
３１、３２、３３  切欠部
３５  折曲部
【図１】
0004604402.tif 000002
【図２】
0004604402.tif 000003
【図３】
0004604402.tif 000004
【図４】
0004604402.tif 000005